(57)【要約】      （修正有）【課題】インテリジェント型電力配置機能を備えたネットワーク設備を提供する。【解決手段】ネットワーク設備２は、電源入力ポート２１、出力ポート２４、検出モジュール２２、制御モジュール２３を含む。そのうち、電源入力ポート２１は外部電力Ｅ１、Ｅ２を受け取るために用いられる。出力ポート２４は外部ネットワーク設備４が接続され、電源入力ポート２が受け取った外部電力を外部ネットワーク設備４に提供するために用いられる。検出モジュール２２は電源入力ポートが受け取った外部電力が無停電設備１のバッテリーモジュール１１により提供されていることを検出したとき、異常信号Ｓ１を生成するために用いられる。制御モジュール２３は異常信号Ｓ１を受信したとき、バッテリーモジュール１１の残余電力量および使用時間のうち何れかの情報と、各出力ポートに対応する電力切断順序に基づいて出力ポート２４の電力出力を順にオフにして、出力ポート２４に外部ネットワーク設備４に対する給電を停止させることができる。【選択図】図１
0003213456.tif 000002
【実用新案登録請求の範囲】
【請求項１】
インテリジェント型電力配置機能を備えたネットワーク設備であって、少なくとも１つの電源入力ポートと、少なくとも１つの出力ポートと、検出モジュールと、制御モジュールを含み、
前記少なくとも１つの電源入力ポートが外部電力を受け取るために用いられ、
前記少なくとも１つの出力ポートがそれぞれ外部ネットワーク設備に接続され、前記少なくとも１つの電源入力ポートが受け取った前記外部電力を前記外部ネットワーク設備に提供するために用いられ、
前記検出モジュールが、前記少なくとも１つの電源入力ポートが受け取った前記外部電力が無停電設備のバッテリーモジュールにより提供されていることを検出したとき、異常信号を生成するために用いられ、
前記制御モジュールが、前記異常信号を受信したとき、前記バッテリーモジュールの残余電力量および使用時間のうち少なくとも何れかの情報と、前記各出力ポートに対応する電力切断順序と、に基づいて前記少なくとも１つの出力ポートの電力出力を順にオフにして、前記外部ネットワーク設備に対する給電を停止させるために用いられることを特徴とする、
インテリジェント型電力配置機能を備えたネットワーク設備。
【請求項２】
前記制御モジュールは、前記バッテリーモジュールの前記残余電力量が予め定めた量減少するごとに、前記電力切断順序に基づいて前記少なくとも１つの出力ポートの電力出力をオフにすることを特徴とする、請求項１に記載のインテリジェント型電力配置機能を備えたネットワーク設備。
【請求項３】
前記制御モジュールは、前記バッテリーモジュールの前記使用時間が予め定めた時間増加するごとに、前記電力切断順序に基づいて前記少なくとも１つの出力ポートの電力出力をオフにすることを特徴とする、請求項１に記載のインテリジェント型電力配置機能を備えたネットワーク設備。
【請求項４】
前記検出モジュールがさらに、前記少なくとも１つの電源入力ポートが受け取った前記外部電力がすでに前記バッテリーモジュールにより提供されていないことを検出すると、正常信号を生成して前記制御モジュールに出力し、前記制御モジュールに前記正常信号に基づいてオフにされた前記少なくとも１つの出力ポートの電力出力を回復させるために用いられることを特徴とする、請求項１に記載のインテリジェント型電力配置機能を備えたネットワーク設備。
【請求項５】
前記少なくとも１つの電源入力ポートが前記無停電設備の前記バッテリーモジュールに接続されたことを特徴とする、請求項１に記載のインテリジェント型電力配置機能を備えたネットワーク設備。
【請求項６】
前記少なくとも１つの電源入力ポートのうち１つが外部電源供給端に接続されたことを特徴とする、請求項５に記載のインテリジェント型電力配置機能を備えたネットワーク設備。
【請求項７】
前記少なくとも１つの電源入力ポートがさらに前記無停電設備を介して外部電源供給端に接続されたことを特徴とする、請求項５に記載のインテリジェント型電力配置機能を備えたネットワーク設備。
【考案の詳細な説明】
【技術分野】
【０００１】
本考案はネットワーク設備に関し、特に、給電ソースに基づいて対応する動作を選択できる、インテリジェント型電力配置機能を備えたネットワーク設備に関する。
【背景技術】
【０００２】
ネットワーク通信の分野において、通常ルーター（ｒｏｕｔｅｒ）、スイッチ（ｓｗｉｔｃｈ）または光電変換器等のヘッドエンドネットワーク設備（以下、略してネットワーク設備という）は、コンピュータ、ネットワークカメラ等１つ以上の外部ネットワーク設備を接続し、これら外部ネットワーク設備とデータ伝送を行うために用いることができる。
しかしながら、ネットワーク設備と各外部ネットワーク設備はいずれも例えば一般的な商用電源などの外部電力を受け取る必要があり、それがないと正常に動作することができないため、ネットワーク設備と各外部ネットワーク設備はいずれもそれぞれ商用電源を受け取る電力線と、データ伝送用の少なくとも１つのネットワークケーブルを配置する必要があり、その据付位置が商用電源のコンセントの位置によって制限される、体積が大きい、施工が容易でないなどの問題がある。
【０００３】
上述の欠点を排除するため、業者はネットワーク設備と各外部ネットワーク設備を現有のネットワークケーブル配線上に結合し、大量の電力線の配置を省いている。このため、現有のネットワーク設備はネットワークケーブルとそれに接続された外部ネットワーク設備がデータ伝送を行うだけでなく、それが受け取った商用電源をネットワークケーブル経由で各外部ネットワーク設備に伝送することもできる。このほか、さらに無停電設備（Ｕｎｉｎｔｅｒｒｕｐｔｉｂｌｅ  Ｐｏｗｅｒ  Ｓｕｐｐｌｙ、ＵＰＳ）を組み合わせ、商用電源ネットワークが提供する電源に例えばトリップや停電などの異常が発生した場合も、無停電設備が外部電力を提供し、ネットワーク設備の正常動作を維持することができる。
【０００４】
従来、無停電設備の電力供給はバッテリーモジュールに予め保存された電力を提供するものであるため、無停電設備が提供できる総電力量には限りがある。したがって、ネットワーク設備に複数の外部ネットワーク設備が接続されているとき、無停電設備の給電時間は大幅に短縮される。
商用電源が正常な給電を回復する前に無停電設備に予め保存された電力が尽きてしまうと、複数の外部ネットワーク設備は停止を余儀なくされる。このほか、これら外部ネットワーク設備に重要な未保存のデータが存在しているのに停止してしまうと、重大なデータ損失という救済が困難な状況に陥る。
【考案の概要】
【考案が解決しようとする課題】
【０００５】
これに鑑み、本考案の目的は、インテリジェント型電力配置機能を備えたネットワーク設備を提供することにある。
【課題を解決するための手段】
【０００６】
本考案の一実施例のインテリジェント型電力配置機能を備えたネットワーク設備は、少なくとも１つの電源入力ポート、少なくとも１つの出力ポート、検出モジュール、制御モジュールを含む。そのうち、少なくとも１つの電源入力ポートは外部電力を受け取るために用いられる。少なくとも１つの出力ポートはそれぞれ外部ネットワーク設備に接続され、少なくとも１つの電源入力ポートが受け取った外部電力を接続された外部ネットワーク設備に提供するために用いられる。検出モジュールは少なくとも１つの電源入力ポートが受け取った外部電力が無停電設備のバッテリーモジュールにより提供されていることを検出したとき、異常信号を生成して出力するために用いられる。制御モジュールは異常信号を受信したとき、バッテリーモジュールの残余電力量および使用時間のうち少なくとも何れかの情報と、各出力ポートに対応する電力切断順序とに基づいて少なくとも１つの出力ポートの電力出力を順にオフにして、外部ネットワーク設備に対する給電を停止させることができる。
【考案の効果】
【０００７】
以上をまとめると、本考案の一実施例のインテリジェント型電力配置機能を備えたネットワーク設備は、受け取った外部電力が無停電設備のバッテリーモジュールから提供されていることを検出すると、各出力ポートに対応する電力切断順序で先に重要性レベルが相対的に低い外部ネットワーク設備の給電を停止し、残りの重要性レベルが相対的に高い外部ネットワーク設備の動作時間を延長することができる。
【０００８】
以下の実施例において本考案の詳細な特徴および利点について詳細に説明する。その内容は当業者が本考案の技術内容を理解し、それに基づいて実施するに足り、かつ本明細書の開示する内容、実用新案登録請求の範囲および図面に基づき、当業者は本考案の関連の目的および利点を容易に理解できるであろう。
【図面の簡単な説明】
【０００９】
【図１】本考案の一実施例のインテリジェント型電力配置機能を備えたネットワーク設備の機能を示すブロック図である。
【図２】図１のネットワーク設備と無停電装置及び外部電源供給端の別の接続態様を示す概略図である。
【考案を実施するための形態】
【００１０】
図１は本考案の一実施例のインテリジェント型電力配置機能を備えたネットワーク設備の機能を示すブロック図である。
図１に示すように、インテリジェント型電力配置機能を備えたネットワーク設備２は少なくとも１つの電源入力ポート２１、少なくとも１つの出力ポート２４、検出モジュール２２、制御モジュール２３を含む。そのうち、検出モジュール２２は電源入力ポート２１に接続され、かつ制御モジュール２３は検出モジュール２２及び出力ポート２４に接続される。
【００１１】
ネットワーク設備２は電源入力ポート２１を通じて外部電力を受け取り、正常に作業を実行する。ここで、電源入力ポート２１は外部電源供給端３に接続し、外部電力Ｅ１を受け取ることができる。
一実施態様において、外部電源供給端３は商用電源ネットワークとしてもよく、商用電源コンセントを備えている。電源入力ポート２１は電源プラグとしてもよく、かつネットワーク設備２はその電源プラグを商用電源コンセントに挿入して、商用電源ネットワークが提供する外部電力Ｅ１を受け取ることができる。しかしながら、本考案はこれに限定されず、別の一実施態様において、電源入力ポート２１は電源接続孔としてもよく、かつ外付け電源ケーブルを通じて商用電源コンセントに接続し、商用電源ネットワークが提供する外部電力Ｅ１を受け取ることができる。
【００１２】
一般的に、ネットワーク設備２は無停電設備１と組み合わせて使用することができ、外部電源供給端３に例えばトリップや停電などの異常が発生し、外部電力Ｅ１を提供できないとき、無停電設備１がその外部電力Ｅ２をネットワーク設備２に提供し、その正常な動作を維持することができる。
ここで、無停電設備１は電気エネルギーを貯蔵するためのバッテリーモジュール１１を含み、かつ外部電源供給端３に異常が発生したとき、その貯蔵した電気エネルギーを出力することができる。つまり、前記外部電力Ｅ２は無停電設備１のバッテリーモジュール１１から提供される。
【００１３】
このほか、無停電設備１のバッテリーモジュール１１は外部電源供給端３に接続でき、かつ充電回路（図示しない）を備えてもよく、外部電源供給端３が提供する外部電力Ｅ１が充電回路を経由してバッテリーモジュール１１に対して充電を行うことができるが、本考案はこれに限定されない。
【００１４】
本考案の一接続態様において、ネットワーク設備２の電源入力ポート２１は少なくとも２つとすることができる。以下、２つの電源入力ポート２１を例とするが、その数量はこれに限定されない。ここで、そのうち１つの電源入力ポート２１が外部電源供給端３に接続され、外部電力Ｅ１を受け取り、かつもう１つの電源入力ポート２１が無停電設備１に接続され、外部電源供給端３に異常が発生して外部電力Ｅ１が供給されないとき、無停電設備１のバッテリーモジュール１１が提供する外部電力Ｅ２を受け取ることができる。
【００１５】
図２は図１のネットワーク設備と無停電装置及び外部電源供給端の別の接続態様を示す概略図である。図２に示すように、ネットワーク設備２の電源入力ポート２１は少なくとも１つとすることができ、いずれも無停電設備１に接続され、かつ無停電設備１は外部電源供給端３に接続される。つまり、本接続態様において、電源入力ポート２１は無停電設備１を介して外部電源供給端３に接続される。
このほか、無停電設備１は充電回路（図示しない）を備え、バッテリーモジュール１１が充電回路を介して外部電源供給端３に接続され、外部電源供給端３が提供する外部電力Ｅ１によりバッテリーモジュール１１に対して充電を行うことができる。
【００１６】
ここで、本接続態様において、電源入力ポート２１も無停電設備１を介して外部電源供給端３が提供する外部電力Ｅ１を受け取り、かつ外部電源供給端３に異常が発生して外部電力Ｅ１が供給されないとき、ネットワーク設備２が無停電設備１のバッテリーモジュール１１から提供される外部電力Ｅ２を受け取り、正常な動作を維持することができる。
【００１７】
ネットワーク設備２の出力ポート２４は各外部ネットワーク設備４と相互に接続され、出力ポート２４を介して各外部ネットワーク設備４とデータ伝送を行う。このほか、出力ポート２４はさらに電源入力ポート２１が受け取った外部電力Ｅ１（または外部電力Ｅ２）を出力ポート２４から相互接続された外部ネットワーク設備４に提供することができ、各外部ネットワーク設備４は出力ポート２４の出力する外部電力Ｅ３によりその正常な動作を維持することができる。
【００１８】
一実施態様において、各出力ポート２４はＲＪ−４５ネットワークソケットとしてもよく、かつツイストペアケーブル、例えばカテゴリー５ツイストペアケーブル（ＣＡＴ−５）を通じてデータと電力を外部ネットワーク設備４に伝送することができる。
ネットワーク設備２はルーター（ｒｏｕｔｅｒ）、スイッチ（ｓｗｉｔｃｈ）または光電変換器等の給電端とすることができるネットワーク装置としてもよい。このほか、外部ネットワーク設備４はネットワークカメラ、コンピュータ等、受電端とすることができるネットワーク装置としてもよいが、本考案はこれに限定されない。
【００１９】
ネットワーク設備２が外部電源供給端３から外部電力Ｅ１を取得できないとき、ネットワーク設備２は無停電設備１のバッテリーモジュール１１から外部電力Ｅ２を取得することができる。このとき、ネットワーク設備２の検出モジュール２２は電源入力ポート２１が受け取った外部電力がバッテリーモジュール１１の提供する外部電力Ｅ２であることを検出し、異常信号Ｓ１を生成して出力し、制御モジュール２３がこの異常信号Ｓ１に基づいて相応の管理制御措置を行うようにすることができる。
【００２０】
本実施例において、制御モジュール２３が異常信号Ｓ１を受け取ると、制御モジュール２３は電力切断順序に基づいてすべての出力ポート２４のうち少なくとも１つの電力出力Ｅ３を順にオフにして、重要性レベルが相対的に低い外部ネットワーク設備４の給電を停止し、バッテリーモジュール１１の限られた電力がその他の重要性レベルが相対的に高い外部ネットワーク設備のみに供給されるようにすることで、これら重要性レベルが相対的に高い外部ネットワーク設備４の動作時間を延長することができる。
【００２１】
ここで、ネットワーク設備２の各出力ポート２４はそれぞれ１つの電力切断優先重みに対応させることができ、かつこの電力切断優先重みは各出力ポート２４に接続された外部ネットワーク設備４の重要性レベルによって決まり、前記電力切断順序とは各電力切断優先重みの大きさに基づいて配列された順序である。
【００２２】
一実施態様において、各出力ポート２４に対応する電力切断優先重みの大きさが大きいほど、制御モジュール２３が異常信号Ｓ１を受け取ったとき優先的にこの出力ポート２４の電力出力Ｅ３がオフにされる。しかしながら、本考案はこれに限定されず、別の一実施態様において、制御モジュール２３は異常信号Ｓ１を受け取ると、電力切断優先重みの大きさが最小に対応する出力ポート２４の電力出力Ｅ３を優先的にオフにする。
【００２３】
このほか、本実施例において、複数の出力ポート２４が同じ重要性レベルのために大きさが同じ電力切断優先重みに対応し、かつこれら同じ大きさの電力切断優先重みに対応する出力ポート２４が電力切断順序において同じ序列に位置づけることができる。つまり、制御モジュール２３が電力切断順序に基づいて少なくとも１つの出力ポート２４の電力出力Ｅ３をオフにするとき、制御モジュール２３はこれら電力切断優先重みが同じ大きさの出力ポート２４の電力出力Ｅ３を同時にオフにすることができる。
【００２４】
以下、いずれも電力切断優先重みの大きさが最小の出力ポート２４の電力出力Ｅ３を優先的にオフにする例で説明を行うが、これは本考案を限定しない。
【００２５】
例えば、ネットワーク設備２の出力ポート２４に接続された外部ネットワーク設備４が、銀行の金庫ドアの撮影に用いるネットワークカメラなど重点区域を撮影するネットワークカメラであって、この出力ポート２４に対応する電力切断優先重みが第１０レベルであり、さらにネットワーク設備２の別の出力ポート２４に接続された外部ネットワーク設備４が、銀行外の街道の撮影に用いるネットワークカメラなど非重点区域を撮影するネットワークカメラであって、この出力ポート２４に対応する電力切断優先重みが第２レベルであると仮定する。
このため、ネットワーク設備２の検出モジュール２２が電源入力ポート２１の受け取った外部電力がバッテリーモジュール１１の提供する外部電力Ｅ２であることを検出すると、検出モジュール２２が異常信号Ｓ１を生成して制御モジュール２３に出力し、かつ制御モジュール２３が電力切断順序に基づき優先的に電力切断優先重みが相対的に低い出力ポート２４の電力出力Ｅ３をオフにして、非重点区域の撮影に用いるネットワークカメラに対する給電を停止し、バッテリーモジュール１１の限りある電力が電力切断優先重みの相対的に高い出力ポート２４を経由して出力され、重点区域を撮影するネットワークカメラの動作時間を延長することができる。
【００２６】
ここで、各出力ポート２４に対応する電力切断優先重みは予め書き込まれた設定パラメータであり、ネットワーク設備２内に保存することができる。しかしながら、本考案はこれに限定されず、電力切断優先重みは使用者がそのときに各出力ポート２４に接続したい外部ネットワーク設備の重要性レベルに応じて自分で設定・調整することもできる。
例えば、使用者がネットワーク設備２の操作パネルまたは制御ボタンを通じて直接設定したり、あるいはコンピュータ、携帯電話、タブレット等の外部電子装置でネットワーク設備２と通信を行い、Ｔｅｌｎｅｔ等の通信プロトコルを介してネットワーク設備２のコンソールアプリケーション（Ｃｏｎｓｏｌｅ  Ａｐｐｌｉｃａｔｉｏｎ）に入り、各出力ポート２４に対応する電力切断優先重みの大きさを書き込むか、または調整することで、電力切断順序を変えたりすることもできる。
【００２７】
本考案の一実施態様において、制御モジュール２３は異常信号Ｓ１を受け取った後、電力切断順序に基づいて少なくとも１つの出力ポート２４の電力出力Ｅ３をオフにするほか、さらにバッテリーモジュール１１のそのときの残余電力量がどのくらいかに基づいていつ出力ポート２４の電力出力Ｅ３をオフにするかを決定することができる。
【００２８】
本実施態様において、制御モジュール２３はバッテリーモジュール１１の残余電力量が予め定めた量減少するごとに、電力切断順序に従って少なくとも１つの出力ポート２４の電力出力Ｅ３をオフにすることができる。ここで、ネットワーク設備２は検出モジュール２２を通じてバッテリーモジュール１１のそのときの残余電力量を検出し、かつバッテリーモジュール１１の残余電力量が予め定めた量減少するごとに、制御モジュール２３を作動させて電力切断順序に従い少なくとも１つの出力ポート２４の電力出力Ｅ３をオフにすることができる。
【００２９】
例えば、ネットワーク設備２が５つの出力ポート２４を備えており、各出力ポート２４に対応する電力切断優先重みがそれぞれ第１０レベル、第８レベル、第６レベル、第４レベル、第２レベルであり、かつ前述の予め定めた量が２０％であると仮定する。制御モジュール２３が異常信号Ｓ１を受け取った後、バッテリーモジュール１１のそのときの残余電力量が１００％で電力が充分である場合、制御モジュール２３はどの出力ポート２４の電力出力Ｅ３もオフにしなくてもよい。
バッテリーモジュール１１の残余電力量が１００％から８０％に低下したとき、制御モジュール２３は電力切断順序に従って電力切断優先重みの第２レベルに対応する出力ポート２４の電力出力Ｅ３を優先的にオフにする。バッテリーモジュール１１の残余電力量がさらに低下して６０％になると、制御モジュール２３は再度電力切断順序に従って電力切断優先重みの第４レベルに対応する出力ポート２４の電力出力Ｅ３をオフにする。バッテリーモジュール１１の残余電力量がまた４０％まで低下すると、制御モジュール２３が再び電力切断順序に従って電力切断優先重みの第６レベルに対応する出力ポート２４の電力出力Ｅ３をオフにする。
このように類推し、段階的にオフにする方式で残りの外部ネットワーク設備４の動作時間を延長し、すべての外部ネットワーク設備４が同時に停止してしまう状況を回避することができる。
【００３０】
本考案の別の一実施態様において、制御モジュール２３が異常信号Ｓ１を受け取った後、制御モジュール２３はバッテリーモジュール１１の使用時間と電力切断順序に基づいて少なくとも１つの出力ポート２４の電力出力Ｅ３をオフにする。そのうち、前記バッテリーモジュール１１の使用時間とは、バッテリーモジュール１１が外部電力Ｅ２の提供を開始してからの供給時間を指す。
【００３１】
本実施態様において、制御モジュール２３はバッテリーモジュール１１の使用時間が予め定めた時間増加するごとに、電力切断順序に従って少なくとも１つの出力ポート２４の電力出力Ｅ３をオフにすることができる。ここで、ネットワーク設備２は検出モジュール２２を通じてバッテリーモジュール１１の使用時間を検出し、かつバッテリーモジュール１１の使用時間が予め定めた時間増加するごとに、制御モジュール２３を作動させて電力切断順序に従い少なくとも１つの出力ポート２４の電力出力Ｅ３をオフにすることができる。
【００３２】
例えば、ネットワーク設備２が５つの出力ポート２４を備えており、各出力ポート２４に対応する電力切断優先重みがそれぞれ第１０レベル、第８レベル、第４レベル、第４レベル、第２レベルであり、かつ前述の予め定めた時間が２０分であると仮定する。
制御モジュール２３が異常信号Ｓ１を受け取った後、バッテリーモジュール１１のそのときの使用時間が０分である場合、制御モジュール２３はどの出力ポート２４の電力出力Ｅ３もオフにしなくてもよい。バッテリーモジュール１１の使用時間が２０分に達したとき、制御モジュール２３は電力切断順序に従って電力切断優先重みの第２レベルに対応する出力ポート２４の電力出力Ｅ３を優先的にオフにする。バッテリーモジュール１１の使用時間が４０分に達すると、制御モジュール２３は再度電力切断順序に従って電力切断優先重みの第４レベルに対応する２つの出力ポート２４の電力出力Ｅ３をオフにする。バッテリーモジュール１１の使用時間が６０分に達すると、制御モジュール２３が再び電力切断順序に従って電力切断優先重みの第８レベルに対応する出力ポート２４の電力出力Ｅ３をオフにする。このように類推し、段階的にオフにする方式で残りの外部ネットワーク設備４の動作時間を延長し、すべての外部ネットワーク設備４が同時に停止してしまう状況を回避することができる。
【００３３】
本実施例において、制御モジュール２３が異常信号Ｓ１を受け取った後、検出モジュール２２は電源入力ポート２１が受け取る外部電力がやはりバッテリーモジュール１１により提供されているか否かの検出を継続することができる。検出モジュール２２が、電源入力ポート２１の受け取った外部電力がすでにバッテリーモジュール１１により提供されるものではなく、外部電源供給端３から提供されているものであると検出したとき、すなわち、外部電源供給端３はすでに異常状態が解除されており、再び外部電力Ｅ１をネットワーク設備２に提供しているとき、検出モジュール２２は正常信号Ｓ２を生成して出力し、制御モジュール２３にこの正常信号Ｓ２に基づいてそれまでに電力出力Ｅ３がオフにされたすべての出力ポート２４を回復することができる。つまり、制御モジュール２３が正常信号Ｓ２を受け取った後、すでにオフにされた出力ポート２４の電力出力Ｅ３を再びオンにして、各外部ネットワーク設備４に正常な動作を回復させることができる。このほか、外部電源供給端３の異常状態が解除された後、外部電源供給端３は再び外部電力Ｅ１を無停電設備１のバッテリーモジュール１１に提供して充電を行い、バッテリーモジュール１１の異常が発生した期間内に消耗した電力量を補うことができる。
【００３４】
上述をまとめると、本考案の一実施例のインテリジェント型電力配置機能を備えたネットワーク設備は、受け取った外部電力が無停電設備のバッテリーモジュールから提供されていることを検出すると、各出力ポートに対応する電力切断順序で先に重要性レベルが相対的に低い外部ネットワーク設備の給電を停止し、残りの重要性レベルが相対的に高い外部ネットワーク設備の動作時間を延長することができる。
【００３５】
上述の説明は、単に本考案の最良の実施例を挙げたまでであり、本考案を限定しない。その他本考案の開示する要旨を逸脱することなく完成された同等効果の修飾または置換はいずれも後述の実用新案登録請求の範囲に含まれる。
【符号の説明】
【００３６】
１    無停電設備
１１  バッテリーモジュール
２    ネットワーク設備
２１  電源入力ポート
２２  検出モジュール
２３  制御モジュール
２４  出力ポート
３    外部電源供給端
４    外部ネットワーク設備
Ｅ１  外部電力
Ｅ２  外部電力
Ｅ３  電力出力
Ｓ１  異常信号
Ｓ２  正常信号
【図１】
0003213456.tif 000003
【図２】
0003213456.tif 000004